(57)【特許請求の範囲】
【請求項１】
物品の回収及び再利用を支援する再利用支援装置と、該再利用支援装置に接続され、該再利用支援装置との間で情報を入出力する複数の入出力装置とを備える再利用支援システムであって、
前記再利用支援装置は、
物品を回収するために必要な基本料金を物品に対応づけて記録してあり、回収場所から引取場所へ物品を運搬することにより生じる追加料金を回収場所と引取場所との間の距離に対応づけて記録してある料金表を記憶する手段と、
回収場所又は引取場所になりうる各地点の座標を記録した座標データベースを記憶する手段とを備え、
前記入出力装置は、
物品の回収を依頼する依頼者を識別する依頼者情報、回収されるべき物品の状態を示す物品情報、回収場所を示す回収場所情報、及び回収日時を示す日時情報を前記再利用支援装置へ送信する手段を備え、
前記再利用支援装置は、更に、
前記入出力装置から受信した依頼者情報、物品情報、回収場所情報、及び日時情報を互いに関連づけて記憶する手段と、
記憶している物品情報及び日時情報を、物品の引取を申し込む申込者が操作する前記入出力装置へ送信する手段とを備え、
前記入出力装置は、更に、
前記再利用支援装置から受信した物品情報及び日時情報を画面表示により出力する手段と、
一の物品情報に関連づけて、物品の引取を申し込む申込者を識別する申込者情報、引取場所を示す引取場所情報、及び物品に対する支払希望額を前記再利用支援装置へ送信する手段とを備え、
前記再利用支援装置は、更に、
前記入出力装置から受信した申込者情報、引取場所情報及び支払希望額を前記物品情報に関連づけて記憶する手段と、
記憶している物品情報が示す物品に対応付けて前記料金表に記録されている基本料金を検索することによって、前記物品の回収に係る基本料金を計算する手段と、
該手段が計算した基本料金を前記物品情報に関連付けて記憶する手段と、
物品情報に関連付けて記憶している回収場所情報及び引取場所情報が示す回収場所及び引取場所の座標を前記座標データベースから検索し、検索した座標から回収場所及び引取場所の間の距離を計算する手段と、
該手段が計算した距離に対応づけて前記料金表に記録されている追加料金を検索することによって、回収場所から引取場所へ物品を運搬することにより生じる追加料金を計算する手段と、
該手段が計算した追加料金を、前記引取場所情報と共に前記物品情報に関連付けている申込者情報に関連付けて記憶する手段と、
物品情報に関連付けて記憶している基本料金と前記物品情報に関連付けた申込者情報に関連付けて記憶している追加料金との和、又は前記基本料金から、前記申込者情報と共に前記物品情報に関連付けて記憶している支払希望額を差し引くことによって、依頼者から徴収すべき料金を計算する手段と
を備えることを特徴とする再利用支援システム。
【請求項２】
前記再利用支援装置は、
一の物品情報に対して、複数の申込者情報を関連付けて記憶している場合は、夫々の申込者情報に関連付けて記憶している追加料金を、前記申込者情報と共に前記物品情報に関連付けて記憶している支払希望額から差し引くことによって、差引額を計算する手段と、
前記物品情報と共に受信した日時情報が示す回収日時から、日時の数値を所定期間遡ることによって、物品の引取者を決定する期限日時を計算する手段と、
計算した期限日時が過ぎた場合に、前記複数の申込者情報の内、計算した差引額が最も大きい申込者情報が示す申込者を引取者として決定する手段とを更に備えること
を特徴とする請求項１に記載の再利用支援システム。
【請求項３】
互いに接続された複数の前記再利用支援装置を備え、
前記再利用支援装置は、
他の前記再利用支援装置に接続された入出力装置へ、記憶している物品情報及び日時情報を送信する手段と、
申込者情報、引取場所情報及び支払希望額を前記入出力装置から受信する手段とを更に備えること
を特徴とする請求項１又は２に記載の再利用支援システム。
【請求項４】
物品の回収及び再利用を支援する再利用支援装置であって、
物品を回収するために必要な基本料金を物品に対応づけて記録してあり、回収場所から引取場所へ物品を運搬することにより生じる追加料金を回収場所と引取場所との間の距離に対応づけて記録してある料金表を記憶する手段と、
回収場所又は引取場所になりうる各地点の座標を記録した座標データベースを記憶する手段と、
物品の回収を依頼する依頼者を識別する依頼者情報、回収されるべき物品の状態を示す物品情報、回収場所を示す回収場所情報、及び回収日時を示す日時情報を外部から受信する手段と、
受信した依頼者情報、物品情報、回収場所情報、及び日時情報を互いに関連づけて記憶する手段と、
記憶している物品情報及び日時情報を、物品の引取を申し込む申込者が操作する外部の装置へ送信する手段と、
一の物品情報に関連づけて、物品の引取を申し込む申込者を識別する申込者情報、引取場所を示す引取場所情報、及び物品に対する支払希望額を前記外部の装置から受信する手段と、
受信した申込者情報、引取場所情報及び支払希望額を前記物品情報に関連づけて記憶する手段と、
記憶している物品情報が示す物品に対応付けて前記料金表に記録されている基本料金を検索することによって、前記物品の回収に係る基本料金を計算する手段と、
該手段が計算した基本料金を前記物品情報に関連付けて記憶する手段と、
物品情報に関連付けて記憶している回収場所情報及び引取場所情報が示す回収場所及び引取場所の座標を前記座標データベースから検索し、検索した座標から回収場所及び引取場所の間の距離を計算する手段と、
該手段が計算した距離に対応づけて前記料金表に記録されている追加料金を検索することによって、回収場所から引取場所へ物品を運搬することにより生じる追加料金を計算する手段と、
該手段が計算した追加料金を、前記引取場所情報と共に前記物品情報に関連付けている申込者情報に関連付けて記憶する手段と、
物品情報に関連付けて記憶している基本料金と前記物品情報に関連付けた申込者情報に関連付けて記憶している追加料金との和、又は前記基本料金から、前記申込者情報と共に前記物品情報に関連付けて記憶している支払希望額を差し引くことによって、依頼者から徴収すべき料金を計算する手段と
を備えることを特徴とする再利用支援装置。
【請求項５】
物品を回収するために必要な基本料金を物品に対応づけて記録してあり、回収場所から引取場所へ物品を運搬することにより生じる追加料金を回収場所と引取場所との間の距離に対応づけて記録してある料金表を記憶する手段と、回収場所又は引取場所になりうる各地点の座標を記録した座標データベースを記憶する手段とを備えるコンピュータに、物品の回収及び再利用を支援させるコンピュータプログラムであって、
コンピュータに、外部から受信した、物品の回収を依頼する依頼者を識別する依頼者情報、回収されるべき物品の状態を示す物品情報、回収場所を示す回収場所情報、及び回収日時を示す日時情報を互いに関連づけて記憶させる手順と、
コンピュータに、一の物品情報に関連づけて外部から受信した、物品の引取を申し込む申込者を識別する申込者情報、引取場所を示す引取場所情報、及び物品に対する支払希望額を、前記物品情報に関連づけて記憶させる手順と、
コンピュータに、記憶している物品情報が示す物品に対応付けて前記料金表に記録されている基本料金を検索することによって、前記物品の回収に係る基本料金を計算させる手順と、
コンピュータに、計算した基本料金を前記物品情報に関連付けて記憶させる手順と、
コンピュータに、物品情報に関連付けて記憶している回収場所情報及び引取場所情報が示す回収場所及び引取場所の座標を前記座標データベースから検索し、検索した座標から回収場所及び引取場所の間の距離を計算させる手順と、
コンピュータに、計算した距離に対応づけて前記料金表に記録されている追加料金を検索することによって、回収場所から引取場所へ物品を運搬することにより生じる追加料金を計算させる手順と、
コンピュータに、計算した追加料金を、前記引取場所情報と共に前記物品情報に関連付けている申込者情報に関連付けて記憶させる手順と、
コンピュータに、物品情報に関連付けて記憶している基本料金と前記物品情報に関連付けた申込者情報に関連付けて記憶している追加料金との和、又は前記基本料金から、前記申込者情報と共に前記物品情報に関連付けて記憶している支払希望額を差し引くことによって、依頼者から徴収すべき料金を計算させる手順と
を含むことを特徴とするコンピュータプログラム。
【発明の詳細な説明】
【０００１】
【発明の属する技術分野】
本発明は、不用となった物品の再利用を支援するための情報処理を行う再利用支援システム、再利用支援装置、及びコンピュータを該再利用支援装置として実現するためのコンピュータプログラムに関する。
【０００２】
【従来の技術】
従来、自治体では生活ごみの回収および処分を行っている。各自治体では、焼却可能なごみ、資源としてリサイクル可能なごみ、又は大型ごみ等のごみの種類に関して、ごみの集積場所またはごみの回収日を指定し、各地域毎に定められた集積場所に住民によって集積されたごみを回収者が回収・運搬し、焼却可能なごみは焼却され、処分されるべきごみは最終的に処分場にて処分が行われる。近年は処分場の確保が困難となっており、また処分場の維持のために多額の費用が必要となっているため、焼却ができずに処分場に対する負荷が大きい大型ごみの回収については、有料化している自治体が多くなっている。
【０００３】
家庭から出る大型ごみは、不用となった家財道具であり、使用が不可能となったものばかりでなく、家族構成の変化または引っ越し等の事情のために使用可能ではあるが不用となったものを含んでいる。不用にはなったがまだ使用可能な物品を引き取って使用する者があれば、物品を大型ごみとして処分する必要はない。従来、リサイクル業者による不用な物品の引き取り及び転売が行われており、物品を引き取る者は家財道具を格安で手にいれることができる。
【０００４】
【発明が解決しようとする課題】
自治体によって回収される大型ごみのうち、使用可能な物品の再利用が住民の間で促進された場合は、処分場で処分される大型ごみの量が減少し、処分場の寿命の延長、及び大型ごみの処分のための費用の減少につながり、自治体にとってもメリットが大きい。しかし、従来の物品の再利用は、実施の規模が小さく、ごみの減少にまでは至っていないのが現状である。また、不用となった物品の再利用を行うためには、物品の保管または運搬などのごみの処分とは別の作業のための新たな費用が必要となるという問題がある。
【０００５】
本発明は、斯かる事情に鑑みてなされたものであって、その目的とするところは、大型ごみとして物品の回収を依頼する際に、通信ネットワークに接続された再利用支援装置に物品の情報を登録し、再利用支援装置は通信ネットワークを介して物品の引取の申込を受け付け、物品の回収および引取に必要な費用を物品の回収の依頼者と物品の引取者とに分担させることにより、自治体および個々の住民にかかる費用の負担を軽減させながら不用な物品の再利用を促進させることができる再利用支援システム、再利用支援装置、及びコンピュータを該再利用支援装置として実現するためのコンピュータプログラムに関する。
【０００６】
【課題を解決するための手段】
第１発明に係る再利用支援システムは、物品の回収及び再利用を支援する再利用支援装置と、該再利用支援装置に接続され、該再利用支援装置との間で情報を入出力する複数の入出力装置とを備える再利用支援システムであって、前記再利用支援装置は、物品を回収するために必要な基本料金を物品に対応づけて記録してあり、回収場所から引取場所へ物品を運搬することにより生じる追加料金を回収場所と引取場所との間の距離に対応づけて記録してある料金表を記憶する手段と、回収場所又は引取場所になりうる各地点の座標を記録した座標データベースを記憶する手段とを備え、前記入出力装置は、物品の回収を依頼する依頼者を識別する依頼者情報、回収されるべき物品の状態を示す物品情報、回収場所を示す回収場所情報、及び回収日時を示す日時情報を前記再利用支援装置へ送信する手段を備え、前記再利用支援装置は、更に、前記入出力装置から受信した依頼者情報、物品情報、回収場所情報、及び日時情報を互いに関連づけて記憶する手段と、記憶している物品情報及び日時情報を、物品の引取を申し込む申込者が操作する前記入出力装置へ送信する手段とを備え、前記入出力装置は、更に、前記再利用支援装置から受信した物品情報及び日時情報を画面表示により出力する手段と、一の物品情報に関連づけて、物品の引取を申し込む申込者を識別する申込者情報、引取場所を示す引取場所情報、及び物品に対する支払希望額を前記再利用支援装置へ送信する手段とを備え、前記再利用支援装置は、更に、前記入出力装置から受信した申込者情報、引取場所情報及び支払希望額を前記物品情報に関連づけて記憶する手段と、記憶している物品情報が示す物品に対応付けて前記料金表に記録されている基本料金を検索することによって、前記物品の回収に係る基本料金を計算する手段と、該手段が計算した基本料金を前記物品情報に関連付けて記憶する手段と、物品情報に関連付けて記憶している回収場所情報及び引取場所情報が示す回収場所及び引取場所の座標を前記座標データベースから検索し、検索した座標から回収場所及び引取場所の間の距離を計算する手段と、該手段が計算した距離に対応づけて前記料金表に記録されている追加料金を検索することによって、回収場所から引取場所へ物品を運搬することにより生じる追加料金を計算する手段と、該手段が計算した追加料金を、前記引取場所情報と共に前記物品情報に関連付けている申込者情報に関連付けて記憶する手段と、物品情報に関連付けて記憶している基本料金と前記物品情報に関連付けた申込者情報に関連付けて記憶している追加料金との和、又は前記基本料金から、前記申込者情報と共に前記物品情報に関連付けて記憶している支払希望額を差し引くことによって、依頼者から徴収すべき料金を計算する手段とを備えることを特徴とする。
【０００７】
第２発明に係る再利用支援システムは、前記再利用支援装置は、一の物品情報に対して、複数の申込者情報を関連付けて記憶している場合は、夫々の申込者情報に関連付けて記憶している追加料金を、前記申込者情報と共に前記物品情報に関連付けて記憶している支払希望額から差し引くことによって、差引額を計算する手段と、前記物品情報と共に受信した日時情報が示す回収日時から、日時の数値を所定期間遡ることによって、物品の引取者を決定する期限日時を計算する手段と、計算した期限日時が過ぎた場合に、前記複数の申込者情報の内、計算した差引額が最も大きい申込者情報が示す申込者を引取者として決定する手段とを更に備えることを特徴とする。
【０００８】
第３発明に係る再利用支援システムは、互いに接続された複数の前記再利用支援装置を備え、前記再利用支援装置は、他の前記再利用支援装置に接続された入出力装置へ、記憶している物品情報及び日時情報を送信する手段と、申込者情報、引取場所情報及び支払希望額を前記入出力装置から受信する手段とを更に備えることを特徴とする。
【０００９】
第４発明に係る再利用支援装置は、物品の回収及び再利用を支援する再利用支援装置であって、物品を回収するために必要な基本料金を物品に対応づけて記録してあり、回収場所から引取場所へ物品を運搬することにより生じる追加料金を回収場所と引取場所との間の距離に対応づけて記録してある料金表を記憶する手段と、回収場所又は引取場所になりうる各地点の座標を記録した座標データベースを記憶する手段と、物品の回収を依頼する依頼者を識別する依頼者情報、回収されるべき物品の状態を示す物品情報、回収場所を示す回収場所情報、及び回収日時を示す日時情報を外部から受信する手段と、受信した依頼者情報、物品情報、回収場所情報、及び日時情報を互いに関連づけて記憶する手段と、記憶している物品情報及び日時情報を、物品の引取を申し込む申込者が操作する外部の装置へ送信する手段と、一の物品情報に関連づけて、物品の引取を申し込む申込者を識別する申込者情報、引取場所を示す引取場所情報、及び物品に対する支払希望額を前記外部の装置から受信する手段と、受信した申込者情報、引取場所情報及び支払希望額を前記物品情報に関連づけて記憶する手段と、記憶している物品情報が示す物品に対応付けて前記料金表に記録されている基本料金を検索することによって、前記物品の回収に係る基本料金を計算する手段と、該手段が計算した基本料金を前記物品情報に関連付けて記憶する手段と、物品情報に関連付けて記憶している回収場所情報及び引取場所情報が示す回収場所及び引取場所の座標を前記座標データベースから検索し、検索した座標から回収場所及び引取場所の間の距離を計算する手段と、該手段が計算した距離に対応づけて前記料金表に記録されている追加料金を検索することによって、回収場所から引取場所へ物品を運搬することにより生じる追加料金を計算する手段と、該手段が計算した追加料金を、前記引取場所情報と共に前記物品情報に関連付けている申込者情報に関連付けて記憶する手段と、物品情報に関連付けて記憶している基本料金と前記物品情報に関連付けた申込者情報に関連付けて記憶している追加料金との和、又は前記基本料金から、前記申込者情報と共に前記物品情報に関連付けて記憶している支払希望額を差し引くことによって、依頼者から徴収すべき料金を計算する手段とを備えることを特徴とする。
【００１０】
第５発明に係るコンピュータプログラムは、物品を回収するために必要な基本料金を物品に対応づけて記録してあり、回収場所から引取場所へ物品を運搬することにより生じる追加料金を回収場所と引取場所との間の距離に対応づけて記録してある料金表を記憶する手段と、回収場所又は引取場所になりうる各地点の座標を記録した座標データベースを記憶する手段とを備えるコンピュータに、物品の回収及び再利用を支援させるコンピュータプログラムであって、コンピュータに、外部から受信した、物品の回収を依頼する依頼者を識別する依頼者情報、回収されるべき物品の状態を示す物品情報、回収場所を示す回収場所情報、及び回収日時を示す日時情報を互いに関連づけて記憶させる手順と、コンピュータに、一の物品情報に関連づけて外部から受信した、物品の引取を申し込む申込者を識別する申込者情報、引取場所を示す引取場所情報、及び物品に対する支払希望額を、前記物品情報に関連づけて記憶させる手順と、コンピュータに、記憶している物品情報が示す物品に対応付けて前記料金表に記録されている基本料金を検索することによって、前記物品の回収に係る基本料金を計算させる手順と、コンピュータに、計算した基本料金を前記物品情報に関連付けて記憶させる手順と、コンピュータに、物品情報に関連付けて記憶している回収場所情報及び引取場所情報が示す回収場所及び引取場所の座標を前記座標データベースから検索し、検索した座標から回収場所及び引取場所の間の距離を計算させる手順と、コンピュータに、計算した距離に対応づけて前記料金表に記録されている追加料金を検索することによって、回収場所から引取場所へ物品を運搬することにより生じる追加料金を計算させる手順と、コンピュータに、計算した追加料金を、前記引取場所情報と共に前記物品情報に関連付けている申込者情報に関連付けて記憶させる手順と、コンピュータに、物品情報に関連付けて記憶している基本料金と前記物品情報に関連付けた申込者情報に関連付けて記憶している追加料金との和、又は前記基本料金から、前記申込者情報と共に前記物品情報に関連付けて記憶している支払希望額を差し引くことによって、依頼者から徴収すべき料金を計算させる手順とを含むことを特徴とする。
【００１１】
第１、第４及び第５発明においては、物品の回収を依頼する依頼者は、物品の情報を入出力装置から再利用支援装置へ入力し、再利用支援装置は入力された物品の情報を複数の入出力装置へ出力し、出力された情報を閲覧した、物品の引取を申し込む申込者は、物品に対する支払希望額を入出力装置から再利用支援装置へ入力し、再利用支援装置は、物品の回収および引取に係る費用を分割して依頼者および申込者の夫々から徴収すべき料金を支払希望額を用いて計算する。自治体による大型ごみの回収の依頼に合わせて、不用となった物品の登録と引取の申込の受け付けとを行うために、自治体規模で物品の再利用が常時行われることになり、不用となった物品の再利用が促進される。また、引取の申込者から支払希望額を受け付け、物品の回収及び引取に係る費用を回収の依頼者および引取の申込者で分割することにより、依頼者は安く物品を処分することができ、申込者は安く物品を手にいれることができる。
【００１２】
第２発明においては、物品の引取の申込者が複数である場合は、回収場所から引取場所へ物品を運搬することにより生じる追加料金を支払希望額から差し引いた差引額が最も大きい申込者を物品の引取者として決定するため、回収の依頼者に掛かる料金の負担が最も小さくなる。
【００１３】
第３発明においては、複数の再利用支援装置が互いに接続され、一の再利用支援装置は、他の再利用支援装置に接続された入出力装置から物品の引取の希望を受け付ける。これにより、異なる自治体間で不用な物品の再利用が可能となり、物品の再利用が更に促進される。
【００１４】
【発明の実施の形態】
以下、本発明をその実施の形態を示す図面に基づき具体的に説明する。
（実施の形態１）
図１は、本発明の再利用支援システムの構成を示すブロック図である。図中１は、コンピュータを用いてなる本発明の再利用支援装置であり、演算を行うＣＰＵ１１と、演算に伴って発生する一時的な情報を記憶するＲＡＭ１２と、ＣＤ−ＲＯＭドライブ等の外部記憶装置１３と、ハードディスク等の内部記憶装置１４とを備えており、ＣＤ−ＲＯＭ等の記録媒体２から本発明に係るコンピュータプログラム２０を外部記憶装置１３にて読み取り、読み取ったコンピュータプログラム２０を内部記憶装置１４に記憶し、ＲＡＭ１２にコンピュータプログラム２０をロードし、ＣＰＵ１１はコンピュータプログラム２０に基づいて再利用支援装置１に必要な処理を実行する。更に、再利用支援装置１は、ＬＡＮ又はインターネット等の外部の通信ネットワークＮに接続された通信部１５を備えており、再利用支援装置１は、通信部１５を介して通信ネットワークＮとの間で情報の送受信をする。
【００１５】
なお、再利用支援装置１は、通信ネットワークＮに接続した図示しないサーバ装置を用いてなる記録媒体から、通信ネットワークＮを介してコンピュータプログラム２０をダウンロードして処理を実行する形態であっても良い。
【００１６】
通信ネットワークＮには、液晶ディスプレイ又はＣＲＴディスプレイ等の出力部とキーボード又はポインティングデバイス等の入力部とを有するパーソナルコンピュータ（ＰＣ）からなる複数の入出力装置３，３，…が接続されている。再利用支援装置１は、内部記憶装置１に記憶してある情報を用いて、物品の回収および再利用を支援するためのウェブページを構成し、通信ネットワークＮを介して入出力装置３，３，…へウェブページを送信し、入出力装置３，３，…は受信したウェブページを出力する。物品の回収を依頼する依頼者の操作、又は物品の引取を申し込む申込者の操作により、入出力装置３へ情報が入力され、入力された情報は入出力装置３から通信ネットワークＮを介して再利用支援装置１へ送信され、再利用支援装置１は、受信した情報を内部記憶装置１４に記憶する。又、通信ネットワークＮには、物品を回収する自治体の担当者または自治体から物品の回収を委託された回収業者などの回収者によって操作される、ＰＣを用いた情報出力装置４が接続されており、再利用支援装置１は、情報出力装置４に必要な情報を情報出力装置４へ送信し、情報出力装置４は受信した情報を出力する。なお、情報出力装置４は、携帯電話またはＰＤＡ等の携帯型の情報出力装置であってもよい。
【００１７】
再利用支援装置１は、内部記憶装置１４にて、物品の回収を依頼する依頼者を識別する依頼者情報、回収されるべき物品の状態を示す物品情報、回収場所を示す回収場所情報、及び回収日時を示す日時情報を含む回収依頼情報を記録した回収依頼情報データベース１４ａと、物品の引取を申し込む申込者を識別する申込者情報、引取場所を示す引取場所情報、及び物品に対する支払希望額を含む引取申込情報を記録した引取申込情報データベース１４ｂとを記憶している。
【００１８】
図２は、回収依頼情報データベース１４ａの内容の例を示す概念図である。回収されるべき物品の状態を示す、品名、動作状況および概観などの物品情報、依頼者を識別する依頼者氏名および電話番号などの依頼者情報、回収場所である依頼者の住所、及び回収日時を含む回収依頼情報が記録されており、物品の写真が付属している場合は、写真のファイルが記録されている。更に、物品を回収するために必要な基本料金、及び物品の引取の希望を受け付ける期限を示す期限日時が記録されている。回収依頼情報データベース１４ａは、回収が依頼された物品の夫々について回収依頼情報を記録しており、夫々の回収依頼情報には物品番号が付与されている。図３は、引取申込情報データベース１４ｂの内容の例を示す概念図である。引取を申し込む物品の物品番号に関連づけて、申込者を識別する申込者氏名および電話番号などの申込者情報、引取場所である申込者の住所、及び支払希望額を含む引取申込情報が記録されている。更に、物品を回収場所から引取場所へ運搬することによって生じる追加料金が記録されている。図中に示した例では、物品番号１の物品に対して、３件の引取申込情報が記録されている。
【００１９】
また、再利用支援装置１は、内部記憶装置１４にて、物品の回収および引取に関する規定の料金を記録した料金表１４ｃと、自治体内の各地点の地図上の座標を記録した座標データベース１４ｄとを記憶している。図４は、料金表１４ｃ及び座標データベース１４ｄの内容の例を示した概念図である。図４（ａ）は、料金表１４ｃの内容の例を示しており、物品の品名に関連づけて、物品の種類または大きさに依存して定められた、物品を回収するために必要な基本料金が記録されており、又、物品の再利用のために物品を回収場所から引取場所へ運搬することによって生じる、回収場所と引取場所との間の距離に依存する追加料金が記録されている。図４（ｂ）は、座標データベース１４ｄの内容の例を示しており、自治体内の地名の夫々について、地図上の座標が記録されている。更に、再利用支援装置１は、内部記憶装置１４にて、物品の回収および運搬のために回収者が経由すべき自治体内の各地点を所定の順で並べたルート情報１４ｅを記憶している。
【００２０】
コンピュータプログラム２０は、依頼者により操作された入出力装置３から受信した回収依頼情報を回収依頼情報データベース１４ａに記録して、回収を依頼された物品を登録する物品登録処理と、申込者により操作された入出力装置３から受信した引取申込情報を引取申込情報データベース１４ａに記録して、物品の引取の申込を受け付ける引取申込処理と、複数の申込者の中から物品の引取者を決定する引取者決定処理と、物品の回収および運搬のルートを決定するルート決定処理とを行うためのプログラムを含んでいる。
【００２１】
以下に、本発明の再利用支援システムが行う動作を、フローチャートを用いて説明する。図５は、再利用支援システムが行う物品登録処理の手順を示すフローチャートである。再利用支援装置１は、回収を依頼する物品を登録するためのウェブページを通信ネットワークＮを介して入出力装置３へ送信し（Ｓ１１）、入手出力装置３は、ウェブページを受信し（Ｓ１２）、受信したウェブページを出力部のブラウザ画面上に出力する（Ｓ１３）。図６は、回収を依頼する物品を登録するためのウェブページのブラウザ画面の例を示す模式図である。大型ごみとして物品の回収を依頼するために、物品の状態を示す、品名、動作状況および概観の物品情報、依頼者を識別する依頼者の氏名および電話番号の依頼者情報、回収場所である依頼者の住所、回収希望日、及び写真からなる回収依頼情報を入力するための入力フォームが出力される。
【００２２】
次に、入出力装置３は、物品の回収を依頼する依頼者の操作により、前記入力フォームを用いた回収依頼情報の入力を受け付け（Ｓ１４）、受け付けた回収依頼情報を再利用支援装置１へ送信する（Ｓ１５）。物品の写真がある場合は、写真のファイルが添付されて回収依頼情報が送信される。再利用支援装置１は、入出力装置３から回収依頼情報を受信し（Ｓ１６）、受信した物品情報に対応する基本料金を料金表１４ｃから検索して基本料金を計算し、回収希望日から所定の期間遡った期限日時を計算し（Ｓ１７）、基本料金および期限日時を含んだ回収依頼情報を、回収依頼情報データベース１４ａに記録して内部記憶装置１４に記憶し（Ｓ１８）、物品登録処理を終了する。受信した回収希望日は、回収日時として回収依頼情報データベース１４ａに記録されるが、回収希望日に基づいて日時を調整し、決定した回収日時を改めて依頼者に通知する処理を行っても良い。以上の処理により、回収を依頼される物品の情報が再利用支援装置１に登録される。
【００２３】
図７は、再利用支援システムが行う引取申込処理の手順を示すフローチャートである。再利用支援装置１は、回収を依頼された物品の引取を申し込むためのウェブページを回収依頼情報データベース１４ａに記録された物品情報および日時情報から構成し、通信ネットワークＮを介して入出力装置３へ送信し（Ｓ２１）、入手出力装置３は、ウェブページを受信し（Ｓ２２）、受信したウェブページを出力部のブラウザ画面上に出力する（Ｓ２３）。図８は、物品の引取を申し込むためのウェブページのブラウザ画面の例を示す模式図である。夫々の物品は、物品番号の順に並べられ、品名、動作状況および概観の物品情報と、回収日時の情報とが出力されており、物品の写真がある場合は、ブラウザ画面上で写真が「有り」の位置を指定することで写真が出力される構成となっている。更に、物品の引取を申し込むために、引取を申し込む物品を識別する物品番号、引取を申し込む申込者を識別する申込者の氏名および電話番号、引取場所である申込者の住所、及び物品に対して支払を申し込む支払希望額からなる引取申込情報を入力するための入力フォームが出力される。
【００２４】
次に、入出力装置３は、物品の引取を申し込む申込者の操作により、前記入力フォームを用いた引取申込情報の入力を受け付け（Ｓ２４）、受け付けた引取申込情報を再利用支援装置１へ送信する（Ｓ２５）。再利用支援装置１は、入出力装置３から引取申込情報を受信し（Ｓ２６）、受信した引取申込情報に含まれる引取場所、及び受信した物品番号に係る回収依頼情報に含まれる回収場所の座標を座標データベース１４ｄから検索して、検索した座標から引取場所および回収場所の間の直線距離を計算し（Ｓ２７）、計算した距離に対応する追加料金を料金表１４ｃから検索して追加料金を計算する（Ｓ２８）。次に、再利用支援装置１は、追加料金を含んだ引取申込情報を、引取申込情報データベース１４ｂに記録して内部記憶装置１４に記憶し（Ｓ２９）、引取申込処理を終了する。なお、支払希望額は、金額ではなく、物品の回収および引取に必要な費用の負担割合を入力することとしてもよい。また、追加料金は、直線距離から計算するのではなく、道順の情報を含む地図情報を記憶しておき、道なりの距離に対して追加料金を計算する方法を用いてもよい。以上の処理により、登録された物品の引取の希望に関する情報が再利用支援装置１に記憶される。
【００２５】
図９は、再利用支援装置１が行う引取者決定処理の手順を示すフローチャートである。再利用支援装置１は、回収依頼情報データベース１４ａに回収依頼情報が記録された一の物品を選択し（Ｓ３０１）、選択した物品に係る回収依頼情報に含まれる期限日時が経過しているか否かを判定し（Ｓ３０２）、期限日時が経過していない場合は（Ｓ３０２：ＮＯ）、処理をステップＳ３０１へ戻して次の物品を選択する。期限日時が経過している場合は（Ｓ３０２：ＹＥＳ）、再利用支援装置１は、引取申込情報データベース１４ｂを参照して、選択した物品の引取を申し込んだ申込者が記録されているか否かを判定し（Ｓ３０３）、申込者が記録されていなかった場合は（Ｓ３０３：ＮＯ）、処理を終了し、申込者が記録されている場合は（Ｓ３０３：ＹＥＳ）、物品の引取の申込者は複数であるか否かを判定する（Ｓ３０４）。申込者が複数であった場合には（Ｓ３０４：ＹＥＳ）、再利用支援装置１は、夫々の申込者について、引取申込情報データベース１４ｂに記録されている引取情報に含まれる支払希望額から追加料金を差し引いた差引額を計算し（Ｓ３０５）、計算した差引額を互いに比較し（Ｓ３０６）、差引額が最も大きい申込者を引取者に決定する（Ｓ３０７）。ステップＳ３０４にて申込者が複数でない場合は（Ｓ３０４：ＮＯ）、記録されている申込者を引取者に決定する（Ｓ３０７）。
【００２６】
次に、再利用支援装置１は、支払希望額を引取者から徴収すべき料金、基本料金および追加料金の和から支払希望額を差し引いた額を依頼者から徴収すべき料金として、引取者および依頼者から徴収すべき料金を計算する（Ｓ３０８）。なお、支払希望額として物品の回収および引取に必要な費用の負担割合を入力する方法を用いた場合は、基本料金および追加料金の和に負担割合を掛けた金額を引取者から徴収すべき料金とし、基本料金および追加料金の和から引取者の料金を差し引いた金額を依頼者から徴収すべき料金とすればよい。又、追加料金を引取者の負担とし、基本料金から支払希望額を差し引いた額を依頼者から徴収すべき料金とする等、他の所定の方法によって料金を計算することとしてもよい。次に、再利用支援装置１は、電子メール又は電話の自動応答システムを用いて、引取者に決定したことを申込者に通知し（Ｓ３０９）、所定時間内に申込者から通知に対する応答があるか否かを監視し（Ｓ３１０）、応答があった場合は（Ｓ３１０：ＹＥＳ）、引取者決定処理を終了する。所定時間内に申込者から応答がなかった場合には（Ｓ３１０：ＮＯ）、再利用支援装置１は、通知を行って応答がなかった回数が所定回数に達しているか否かを判定し（Ｓ３１１）、応答がなかった回数が所定回数に達していない場合は（Ｓ３１１：ＮＯ）、ステップＳ３０９へ処理を戻して通知を繰り返し、応答がなかった回数が所定回数に達している場合は（Ｓ３１１：ＮＯ）、応答がなかった申込者を申込者から外し（Ｓ３１２）、処理をステップＳ３０３へ戻して引取者の決定を繰り返す。以上の処理により、物品の引取者が決定され、依頼者および引取者から徴収すべき料金が決定される。
【００２７】
図１０は、再利用支援システムが行うルート決定処理の手順を示すフローチャートである。再利用支援装置１は、回収日が同一である複数の物品の夫々に係る回収場所および引取場所の情報を回収依頼情報データベース１４ａ及び引取申込情報データベース１４ｂから読み込み（Ｓ４１）、読み込んだ夫々の場所を、回収場所の後に引取場所がくるようにルート情報１４ｅから抽出して、回収者が物品の回収および運搬のために経由すべきルートを決定する（Ｓ４２）。図１１は、ルート情報１４ｅの内容、及び決定したルートの例を示した概念図である。図１１（ａ）はルート情報１４ｅの内容の例を示しており、回収者が経由すべき自治体内の各地点が所定の順で重複した地点を含めて並んでいる。図１１（ｂ）は決定したルートの例を示しており、○町が回収場所で×町が引取場所である物品と×町が回収場所で△町が引取場所である物品とがある場合には、回収場所の後に引取場所がくるように、ルート情報１４ｅに示された順に○町，×町，△町…と抽出され、抽出された地点の順が回収者が経由すべきルートとなる。再利用支援装置１は、決定したルートを通信ネットワークＮを介して情報出力装置４へ送信し（Ｓ４３）、情報出力装置４は、再利用支援装置１からルートを受信し（Ｓ４４）、受信したルートを出力し（Ｓ４５）、ルート決定処理を終了する。以上の処理により、回収日毎にルートが決定され、回収者は、情報出力装置４にて出力されたルートに従って物品の回収および運搬を行う。
【００２８】
以上詳述した如く、本発明においては、依頼者が回収を依頼する物品の情報が入出力装置３から再利用支援装置１へ入力され、物品の情報は再利用支援装置１から複数の入出力装置３，３，…へ出力され、申込者が引取を申し込む物品について支払希望額が入出力装置３から再利用支援装置１へ入力され、再利用支援装置１は、物品の回収および引取に係る費用を分割して依頼者および申込者の夫々から徴収すべき料金を支払希望額を用いて計算する。自治体による大型ごみの回収の依頼に合わせて、物品の登録と引取の希望の受け付けとをウェブページ上で行うために、自治体規模で不用な物品の再利用が常時行われることになり、不用となった物品の再利用が促進され、ごみの処分場に対する負荷が大きい大型ごみを処分場で処分する量が減少し、近年では確保が困難となりつつある処分場の寿命が延長される。更に、処理場の維持または大型ごみの処理などのごみの処分のために必要な費用が減少する。
【００２９】
また、本発明においては、申込者から支払希望額を受け付け、物品の回収及び引取に係る費用を回収の依頼者および引取の申込者で分割することにより、依頼者は安く物品を処分することができ、申込者は安く物品を手にいれることができる。更に、申込者が複数である場合は、回収場所から引取場所へ物品を運搬することにより生じる追加料金を支払希望額から差し引いた差引額が最も大きい申込者を物品の引取者として決定するため、回収の依頼者に掛かる料金の負担を最も小さくすることができる。
【００３０】
なお、本実施の形態においては、一の物品について複数の申込者を受け付ける方法を示したが、先着順で引取者の決定を行い、引取者が決定した場合は、引取者が決定した物品の情報をウェブページに表示させない処理を行う方法を用いても良い。この方法を用いた場合は、再利用支援システムが行う処理をより簡略化することができる。
【００３１】
（実施の形態２）
実施の形態２においては、物品の回収の依頼者および物品の引取の申込者以外の第三者により、物品の状態の査定を受け付ける。物品の状態の査定を行う第三者は、物品の修理業者または引っ越し業者などの業者である。特に、引っ越し時には多くの物品が大型ごみとして処分されるため、査定を行う業者として引っ越し業者が有望である。
【００３２】
本実施の形態における再利用支援システムの構成は実施の形態１と同様であり、その説明を省略する。本実施の形態においては、依頼者の操作により入出力装置３から再利用支援装置１へ回収依頼情報が送信される際に、パスワードが設定され、設定されたパスワードが回収依頼情報データベース１４ａに記録される。次に、査定を行う業者により操作された入出力装置３から、パスワードを用いて再利用支援装置１へ査定情報が送信される。送信された査定情報は、回収依頼情報に含まれて回収依頼情報データベース１４ａに記録される。図１２は、実施の形態２に係る、物品の引取を申し込むためのウェブページのブラウザ画面の例を示す模式図である。夫々の物品は、物品番号に関連づけて、品名および回収日時の情報が出力されており、更に、動作状況および概観など物品の状態を業者によって査定された結果である査定情報が出力されている。査定を行う業者は、入出力装置３を操作し、ブラウザ画面上で「追加」を指定することにより、パスワードの入力画面が表示され、正しいパスワードが入力された場合は、査定情報を追加で入力し、再利用支援装置１へ送信することができる。また、物品の引取を申し込む申込者は、入出力装置３を操作し、前記ブラウザ画面から引取申込情報を入力し、入力した引取申込情報を再利用支援装置１へ送信することができる。
【００３３】
本実施の形態においては、物品の状態に関して、業者による中立な査定が行われるため、物品の状態に関して信頼性が向上し、申込者が安心して物品の引取を申し込むことが可能となり、不用となった物品の再利用が促進される。
【００３４】
（実施の形態３）
図１３は、実施の形態３に係る本発明の再利用支援システムの構成を示すブロック図である。本実施の形態においては、互いに接続された複数の再利用支援装置１，１，…を用いて、複数の自治体間での物品の再利用を可能にする。再利用支援装置１の通信部１５は、通信ネットワークＮ１に接続されており、通信ネットワークＮ１には、入出力装置３，３，…及び情報出力装置４が接続されている。通信部１５は、また、通信ネットワークＮ２に接続されており、複数の再利用支援装置１，１，…は通信ネットワークＮ２を介して互いに接続されている。再利用支援装置１のその他の構成は実施の形態１と同様であり、対応する部分に同符号を付してその説明を省略する。
【００３５】
一の再利用支援装置１は、一の自治体内での回収を依頼される物品の登録を受け付ける。物品の回収を依頼する依頼者は、入出力装置３を用いて、回収依頼情報を再利用支援装置１へ送信し、再利用支援装置１は受信した回収依頼情報を記憶する。通信ネットワークＮ１を介して一の再利用支援装置１に接続された入出力装置３は、他の再利用支援装置１に記憶された回収依頼情報を、通信ネットワークＮ２を介して受信することができる。物品の引取を申し込む申込者は、入出力装置３を用いて、任意の自治体にて登録された物品の情報を閲覧することが可能となり、引取を申し込む物品に関する引取申込情報を、該物品に関する回収依頼情報を記憶している再利用支援装置１へ送信することにより、任意の自治体にて回収を依頼されている物品の引取を申し込むことができる。
【００３６】
本実施の形態においては、任意の自治体で回収が依頼された物品の引取を申し込むことができるために、異なる自治体間で物品の再利用が可能となり、不用となった物品の再利用が更に促進される。
【００３７】
（付記１）  物品の回収及び再利用を支援する再利用支援装置と、該再利用支援装置に接続され、該再利用支援装置との間で情報を入出力する複数の入出力装置とを備える再利用支援システムであって、
前記入出力装置は、
物品の回収を依頼する依頼者を識別する依頼者情報、回収されるべき物品の状態を示す物品情報、回収場所を示す回収場所情報、及び回収日時を示す日時情報を前記再利用支援装置へ送信する手段を備え、
前記再利用支援装置は、
前記入出力装置から受信した依頼者情報、物品情報、回収場所情報、及び日時情報を互いに関連づけて記憶する手段と、
記憶している物品情報及び日時情報を複数の前記入出力装置へ送信する手段とを備え、
前記入出力装置は、更に、
前記再利用支援装置から受信した物品情報及び日時情報を出力する手段と、
一の物品情報に関連づけて、物品の引取を申し込む申込者を識別する申込者情報、引取場所を示す引取場所情報、及び物品に対する支払希望額を前記再利用支援装置へ送信する手段とを備え、
前記再利用支援装置は、更に、
前記入出力装置から受信した申込者情報、引取場所情報及び支払希望額を前記物品情報に関連づけて記憶する手段と、
物品情報を用いて回収に係る基本料金を計算する手段と、
回収場所から引取場所へ物品を運搬することにより生じる追加料金を、回収場所情報及び引取場所情報を用いて計算する手段と、
回収料金及び／又は追加料金を依頼者及び申込者で分割すべく、支払希望額を用いて、依頼者から徴収すべき料金、及び申込者から徴収すべき料金を計算する手段と
を備えることを特徴とする再利用支援システム。
【００３８】
（付記２）  前記物品情報は、物品の状態を査定した査定情報を含んでおり、
前記入出力装置は、一の物品情報に関連づけて、追加の査定情報を送信する手段を更に備え、
前記再利用支援装置は、前記入出力装置から受信した査定情報を、前記物品情報に含ませて記憶する手段を更に備えることを特徴とする付記１に記載の再利用支援システム。
【００３９】
（付記３）  前記再利用支援装置は、
一の物品情報に対して、複数の申込者情報を受信した場合は、夫々の申込者情報に係る引取場所情報を用いて計算された追加料金を夫々の申込者情報に係る支払希望額から差し引いた差引額を計算する手段と、
前記物品情報に係る日時情報を用いて、複数の申込者の中から物品の引取者を決定する期限日時を求める手段と、
求めた期限日時が過ぎた場合に、前記差引額が最も大きい申込者を引取者として決定する手段と
を更に備えることを特徴とする付記１又は２に記載の再利用支援システム。
【００４０】
（付記４）  前記再利用支援装置に接続された情報出力装置を更に備え、
前記再利用支援装置は、
日時情報が示す回収日時が所定の時間帯に含まれている複数の物品情報の夫々に係る回収場所情報及び引取場所情報を用いて、複数の前記物品情報に係る物品を回収及び運搬すべき回収者が経由すべき回収場所及び引取場所の順序を決定する手段と、
決定した順序を前記情報出力装置へ送信する手段とを更に備え、
前記情報出力装置は、
前記再利用支援装置から受信した前記順序を出力する手段を備えることを特徴とする付記１乃至３のいずれかに記載の再利用支援システム。
【００４１】
（付記５）  互いに接続された複数の前記再利用支援装置を備え、
前記再利用支援装置は、
他の前記再利用支援装置に接続された入出力装置へ、記憶している物品情報及び日時情報を送信する手段と、
申込者情報、引取場所情報及び支払希望額を前記入出力装置から受信する手段とを更に備えることを特徴とする付記１乃至４のいずれかに記載の再利用支援システム。
【００４２】
（付記６）  物品の回収及び再利用を支援する再利用支援装置であって、
物品の回収を依頼する依頼者を識別する依頼者情報、回収されるべき物品の状態を示す物品情報、回収場所を示す回収場所情報、及び回収日時を示す日時情報を外部から受信する手段と、
受信した依頼者情報、物品情報、回収場所情報、及び日時情報を互いに関連づけて記憶する手段と、
記憶している物品情報及び日時情報を外部へ送信する手段と、
一の物品情報に関連づけて、物品の引取を申し込む申込者を識別する申込者情報、引取場所を示す引取場所情報、及び物品に対する支払希望額を外部から受信する手段と、
受信した申込者情報、引取場所情報及び支払希望額を前記物品情報に関連づけて記憶する手段と、
物品情報を用いて回収に係る基本料金を計算する手段と、
回収場所から引取場所へ物品を運搬することにより生じる追加料金を、回収場所情報及び引取場所情報を用いて計算する手段と、
回収料金及び／又は追加料金を依頼者及び申込者で分割すべく、支払希望額を用いて、依頼者から徴収すべき料金、及び申込者から徴収すべき料金を計算する手段と
を備えることを特徴とする再利用支援装置。
【００４３】
（付記７）  前記物品情報は、物品の状態を査定した査定情報を含んでおり、
一の物品情報に関連づけて、追加の査定情報を外部から受信する手段と、
受信した査定情報を、前記物品情報に含ませて記憶する手段とを更に備えることを特徴とする付記６に記載の再利用支援装置。
【００４４】
（付記８）  一の物品情報に対して、複数の申込者情報を受信した場合は、夫々の申込者情報に係る引取場所情報を用いて計算された追加料金を夫々の申込者情報に係る支払希望額から差し引いた差引額を計算する手段と、
前記物品情報に係る日時情報を用いて、複数の申込者の中から物品の引取者を決定する期限日時を求める手段と、
求めた期限日時が過ぎた場合に、前記差引額が最も大きい申込者を引取者として決定する手段と
を更に備えることを特徴とする付記６又は７に記載の再利用支援装置。
【００４５】
（付記９）  日時情報が示す回収日時が所定の時間帯に含まれている複数の物品情報の夫々に係る回収場所情報及び引取場所情報を用いて、複数の前記物品情報に係る物品を回収及び運搬すべき回収者が経由すべき回収場所及び引取場所の順序を決定する手段と、
決定した順序を外部へ送信する手段とを更に備えることを特徴とする付記６乃至８のいずれかに記載の再利用支援装置。
【００４６】
（付記１０）  コンピュータに、物品の回収及び再利用を支援させるコンピュータプログラムであって、
コンピュータに、外部から受信した、物品の回収を依頼する依頼者を識別する依頼者情報、回収されるべき物品の状態を示す物品情報、回収場所を示す回収場所情報、及び回収日時を示す日時情報を互いに関連づけて記憶させる手順と、
コンピュータに、一の物品情報に関連づけて外部から受信した、物品の引取を申し込む申込者を識別する申込者情報、引取場所を示す引取場所情報、及び物品に対する支払希望額を、前記物品情報に関連づけて記憶させる手順と、
コンピュータに、物品情報を用いて回収に係る基本料金を計算させる手順と、
コンピュータに、回収場所から引取場所へ物品を運搬することにより生じる追加料金を、回収場所情報及び引取場所情報を用いて計算させる手順と、
コンピュータに、回収料金及び／又は追加料金を依頼者及び申込者で分割すべく、支払希望額を用いて、依頼者から徴収すべき料金、及び申込者から徴収すべき料金を計算させる手順と
を含むことを特徴とするコンピュータプログラム。
【００４７】
（付記１１）  コンピュータに、一の物品情報に対して、複数の申込者情報を受信した場合は、夫々の申込者情報に係る引取場所情報を用いて計算された追加料金を夫々の申込者情報に係る支払希望額から差し引いた差引額を計算させる手順と、
コンピュータに、前記物品情報に係る日時情報を用いて、複数の申込者の中から物品の引取者を決定する期限日時を求めさせる手順と、
コンピュータに、求めた期限日時が過ぎた場合に、前記差引額が最も大きい申込者を引取者として決定させる手順と
を更に含むことを特徴とする付記１０に記載のコンピュータプログラム。
【００４８】
（付記１２）  コンピュータに、日時情報が示す回収日時が所定の時間帯に含まれている複数の物品情報の夫々に係る回収場所情報及び引取場所情報を用いて、複数の前記物品情報に係る物品を回収及び運搬すべき回収者が経由すべき回収場所及び引取場所の順序を決定させる手順を更に含むことを特徴とする付記１０又は１１に記載のコンピュータプログラム。
【００４９】
（付記１３）  コンピュータに、物品の回収及び再利用を支援させるコンピュータプログラムを記録してあるコンピュータでの読み込みが可能な記録媒体であって、
コンピュータに、外部から受信した、物品の回収を依頼する依頼者を識別する依頼者情報、回収されるべき物品の状態を示す物品情報、回収場所を示す回収場所情報、及び回収日時を示す日時情報を互いに関連づけて記憶させる手順と、
コンピュータに、一の物品情報に関連づけて外部から受信した、物品の引取を申し込む申込者を識別する申込者情報、引取場所を示す引取場所情報、及び物品に対する支払希望額を、前記物品情報に関連づけて記憶させる手順と、
コンピュータに、物品情報を用いて回収に係る基本料金を計算させる手順と、
コンピュータに、回収場所から引取場所へ物品を運搬することにより生じる追加料金を、回収場所情報及び引取場所情報を用いて計算させる手順と、
コンピュータに、回収料金及び／又は追加料金を依頼者及び申込者で分割すべく、支払希望額を用いて、依頼者から徴収すべき料金、及び申込者から徴収すべき料金を計算させる手順と
を含むコンピュータプログラムを記録してあることを特徴とするコンピュータでの読み込みが可能な記録媒体。
【００５０】
（付記１４）  物品の回収及び再利用を支援する再利用支援方法であって、
物品の回収を依頼する依頼者を識別する依頼者情報、回収されるべき物品の状態を示す物品情報、回収場所を示す回収場所情報、及び回収日時を示す日時情報を受け付けるステップと、
受け付けた依頼者情報、物品情報、回収場所情報、及び日時情報を互いに関連づけて記憶するステップと、
記憶している物品情報及び日時情報を出力するステップと、
一の物品情報に関連づけて、物品の引取を申し込む申込者を識別する申込者情報、引取場所を示す引取場所情報、及び物品に対する支払希望額を受け付けるステップと、
受け付けた申込者情報、物品指定情報、引取場所情報及び支払希望額を前記物品情報に関連づけて記憶するステップと、
物品情報を用いて回収に係る基本料金を計算するステップと、
回収場所から引取場所へ物品を運搬することにより生じる追加料金を、回収場所情報及び引取場所情報を用いて計算するステップと、
回収料金及び／又は追加料金を依頼者及び申込者で分割すべく、支払希望額を用いて、依頼者から徴収すべき料金、及び申込者から徴収すべき料金を計算するステップと
を含むことを特徴とする再利用支援方法。
【００５１】
【発明の効果】
第１、第４及び第５発明においては、自治体による大型ごみの回収の依頼に合わせて、物品の登録と引取の希望の受け付けとを行うために、自治体規模で不用な物品の再利用が常時行われることになり、不用となった物品の再利用が促進される。ごみの処分場に対する負荷が大きい大型ごみを処分場で処分する量が減少して、処分場の寿命が延長され、ごみの処分のために必要な費用が減少する。また、引取の申込者から支払希望額を受け付け、物品の回収及び引取に係る費用を回収の依頼者および引取の申込者で分割することにより、依頼者は安く物品を処分することができ、申込者は安く物品を手にいれることができる。
【００５２】
第２発明においては、物品の引取の申込者が複数である場合は、回収場所から引取場所へ物品を運搬することにより生じる追加料金を支払希望額から差し引いた差引額が最も大きい申込者を物品の引取者として決定するため、回収の依頼者に掛かる料金の負担が最も小さくなる。
【００５３】
第３発明においては、複数の再利用支援装置が互いに接続され、一の再利用支援装置は、他の再利用支援装置に接続された入出力装置から物品の引取の希望を受け付ける。これにより、異なる自治体間で不用な物品の再利用が可能となり、不用となった物品の再利用が更に促進される等、本発明は優れた効果を奏する。
【図面の簡単な説明】
【図１】本発明の再利用支援システムの構成を示すブロック図である。
【図２】回収依頼情報データベースの内容の例を示す概念図である。
【図３】引取申込情報データベースの内容の例を示す概念図である。
【図４】料金表及び座標データベースの内容の例を示した概念図である。
【図５】再利用支援システムが行う物品登録処理の手順を示すフローチャートである。
【図６】回収を依頼する物品を登録するためのウェブページのブラウザ画面の例を示す模式図である。
【図７】再利用支援システムが行う引取申込処理の手順を示すフローチャートである。
【図８】物品の引取を申し込むためのウェブページのブラウザ画面の例を示す模式図である。
【図９】再利用支援装置が行う引取者決定処理の手順を示すフローチャートである。
【図１０】再利用支援システムが行うルート決定処理の手順を示すフローチャートである。
【図１１】ルート情報の内容、及び決定したルートの例を示した概念図である。
【図１２】実施の形態２に係る、物品の引取を申し込むためのウェブページのブラウザ画面の例を示す模式図である。
【図１３】実施の形態３に係る本発明の再利用支援システムの構成を示すブロック図である。
【符号の説明】
１  再利用支援装置
２  記録媒体
２０  コンピュータプログラム
３  入出力装置
４  情報出力装置
Ｎ，Ｎ１，Ｎ２  通信ネットワーク
【図１】
0003957525.tif 000002
【図２】
0003957525.tif 000003
【図３】
0003957525.tif 000004
【図４】
0003957525.tif 000005
【図５】
0003957525.tif 000006
【図６】
0003957525.tif 000007
【図７】
0003957525.tif 000008
【図８】
0003957525.tif 000009
【図９】
0003957525.tif 000010
【図１０】
0003957525.tif 000011
【図１１】
0003957525.tif 000012
【図１２】
0003957525.tif 000013
【図１３】
0003957525.tif 000014